(57)【特許請求の範囲】
【請求項１】
雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメにおいて、
雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、
雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、
雌ハトメ受体（Ｂ）の長径外筒部（７）の外径が、雄ハトメ本体（Ａ）の長径環状のフランジ部（１）の外径より大径に形成して、
前記段周部（９）に雄ハトメ本体（Ａ）の前記かしめ脚（５）をかしめ止め固定することによって、
雄ハトメ本体（Ａ）の前記フランジ先端部（１Ａ）と前記雌ハトメ受体（Ｂ）の長径外筒部（７）の外筒部先端部（７Ａ）で被取付物を挟持し、
かつ、前記雄ハトメ本体（Ａ）の内筒外周壁（２Ａ）と雌ハトメ受体（Ｂ）の外筒内周壁（７Ｂ）で被取付物を挟持することを特徴とする小判ハトメ。
【請求項２】
前記長径孔は、略小判形孔、長円形孔若しくは長円形角孔を形状としたことを特徴とする請求項１記載の小判ハトメ。
【請求項３】
雄ハトメ本体の長径環状のフランジ部は上向きに膨出状に突出しているとともにフランジ先端部を下向きに曲げていることを特徴とする請求項１又は２記載の小判ハトメ。
【請求項４】
雄ハトメ本体（Ａ）のかしめ脚（５）を、被取付物をはさんで雌ハトメ受体（Ｂ）の長径孔部にはめて、該長径孔部の段周部（９）で前記かしめ脚（５）の先端を外側にカールさせて長径孔の段周部（９）に前記かしめ脚（５）をカールした部分が収まるようにかしめ止め固定したことを特徴とする請求項１乃至３のいずれか１項記載の小判ハトメ。
【請求項５】
雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメの取付方法において、
雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、
雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、
雌ハトメ受体（Ｂ）の長径外筒部の外径が、雄ハトメ本体（Ａ）の長径環状のフランジ部の外径より大径に形成し、
前記段周部（９）に雄ハトメ本体（Ａ）の前記かしめ脚（５）をかしめ止め固定することによって、
雄ハトメ本体（Ａ）の前記フランジ先端部（１Ａ）と前記雌ハトメ受体（Ｂ）の長径外筒部（７）の外筒部先端部（７Ａ）で被取付物を挟持し、かつ、前記雄ハトメ本体（Ａ）の内筒外周壁（２Ａ）と雌ハトメ受体（Ｂ）の外筒内周壁（７Ｂ）で被取付物を挟持して当該小判ハトメを取り付け、
車体の床面に取り付けた嵌合体と雌雄ハトメを取り付けたカーマットを一体とするために、雄ハトメ本体の長径内筒部の内側の長径孔の長径底周部に嵌合体の摘みを嵌合体の長さ方向に嵌合体の突出部を揃えて長径孔に嵌め、雄ハトメ本体の長径孔の短径部に摘みを移動させて段周部（９）に摘みを差し渡し係止させ、摘みを長径孔に合わせて摘みを嵌合体の長さ方向に移動させて摘みを外すことを可能とする小判ハトメ取付方法。
【発明の詳細な説明】
【技術分野】
【０００１】
本発明は、特に毛足の長い厚みのあるカーマット（自動車内の床用マット）等の被取付物に強固に取り付けることができる小判ハトメとその取付方法に関するものである。
【背景技術】
【０００２】
従来のハトメ金具としては、環状の鍔体の中央に筒状の係合脚を備えたハトメ雄体と、該ハトメ雄体の係合脚が挿通される係合孔を有し、且つ、該ハトメ雄体の鍔体と同寸法を有する環状の鍔体を備えたハトメ雌体とからなり、取付生地を介在してハトメ雌体及びハトメ雄体を係合した状態で、床面側に立設したフックに挿通可能とする中央穴を形成するハトメが公知である（例えば、実開平５−０４６９１４号公報第３図及び第４図参照。）。
【０００３】
また、小判型のハトメが平紐などを挿通するための従来のハトメ金具の場合には、ハトメ本体及びフランジをともに小判形に形成し、ハトメ本体の中央部にはこれと同じ縦横比の長孔円筒状の突起をプレス成形により形成するとともに、その突起の長手方向両側部に折曲げ代を延設し、ハトメ本体に被取付物をはさみ座板に嵌め付けた後、曲げ代部分を外側にカールさせて、被取付物の表裏に狭持状態に固定するようになっている。
【先行技術文献】
【特許文献】
【０００４】
【特許文献１】実開平５−０４６９１４号公報
【発明の概要】
【発明が解決しようとする課題】
【０００５】
上記した構造の各ハトメでは、当該ハトメの狭持状態からすると、特に毛足が長く、厚手のカーマットなどの被取付物に対して強固に固着することは困難であった。
また、カーマットは取り外しが出来ることが必要で、車体の床板に配置された嵌合体の突起とカーマットに取り付けたハトメが簡単に取り外し可能なハトメであることが必要であった。
更に、近年合成樹脂製のハトメも使用されているが、毛足の長い厚手のカーマットに対してハトメとカーマットの狭持が十分でなく、特に合成樹脂には弾力性があるため強固に固定することは困難であった。
【０００６】
本発明は以上の事情に鑑みなされたものであり、毛足の長いかなり厚みのあるカーマットなどの被取付物を小判ハトメの長径内筒部と長径外筒部の間隙に出来るだけ多く狭持保持させることが出来、強固に小判ハトメをカーマットなどの被取付物に狭持する小判ハトメ取付方法と当該小判ハトメを発明が解決しようとする課題とする。
【課題を解決するための手段】
【０００７】
前記目的を達成するため、本発明は、雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメにおいて、雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、雌ハトメ受体（Ｂ）の長径外筒部（７）の外径が、雄ハトメ本体（Ａ）の長径環状のフランジ部（１）の外径より大径に形成して、前記段周部（９）に雄ハトメ本体（Ａ）の前記かしめ脚（５）をかしめ止め固定することによって、雄ハトメ本体（Ａ）の前記フランジ先端部（１Ａ）と前記雌ハトメ受体（Ｂ）の長径外筒部（７）の外筒部先端部（７Ａ）で被取付物を挟持し、かつ、前記雄ハトメ本体（Ａ）の内筒外周壁（２Ａ）と雌ハトメ受体（Ｂ）の外筒内周壁（７Ｂ）で被取付物を挟持することを特徴とする小判ハトメを、上記の課題を解決するための手段とする。
【０００８】
また、本発明は、上記の発明において、前記長径孔４、長径孔部１０は、ともに略小判形孔、略長円形長孔若しくは長円形角孔であることを特徴とする小判ハトメを、課題を解決するための手段とする。
【０００９】
また、本発明は、雄ハトメ本体の長径環状のフランジ部を上向きに膨出状に突出しているとともにフランジ先端部は下向きに曲げられていることを特徴とする小判ハトメを、課題を解決するための手段とする。
【００１０】
また、本発明は、雌ハトメ受体の段周部には前記雄ハトメ本体のかしめ脚の先端を外側にカールさせてかしめて、この段周部内にカールさせたかしめ部分が収まる寸法に設計し、周底部から長径周底部側にはみ出さないことを特徴とする小判ハトメを、課題を解決するための手段とする。
【００１１】
本発明に係るハトメ金具の取付方法は、雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメの取付方法において、雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、雌ハトメ受体（Ｂ）の長径外筒部の外径が、雄ハトメ本体（Ａ）の長径環状のフランジ部の外径より大径に形成し、前記段周部（９）に雄ハトメ本体（Ａ）の前記かしめ脚（５）をかしめ止め固定することによって、雄ハトメ本体（Ａ）の前記フランジ先端部（１Ａ）と前記雌ハトメ受体（Ｂ）の長径外筒部（７）の外筒部先端部（７Ａ）で被取付物を挟持し、かつ、前記雄ハトメ本体（Ａ）の内筒外周壁（２Ａ）と雌ハトメ受体（Ｂ）の外筒内周壁（７Ｂ）で被取付物を挟持して当該小判ハトメを取り付け、車体の床面に取り付けた嵌合体と雌雄ハトメを取り付けたカーマットを一体とするために、雄ハトメ本体の長径内筒部の内側の長径孔の長径底周部に嵌合体の摘みを嵌合体の長さ方向に嵌合体の突出部を揃えて長径孔に嵌め、雄ハトメ本体の長径孔の短径部に摘みを移動させて段周部（９）に摘みを差し渡し係止させ、摘みを長径孔に合わせて摘みを嵌合体の長さ方向に移動させて摘みを外すことを可能とする小判ハトメ取付方法を、課題を解決するための手段とする。
【発明の効果】
【００１２】
本発明によれば、本発明は、雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメにおいて、雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、雌ハトメ受体（Ｂ）の長径外筒部（７）の外径が、雄ハトメ本体（Ａ）の長径環状のフランジ部（１）の外径より大径に形成して、前記段周部（９）に雄ハトメ本体（Ａ）の前記かしめ脚（５）をかしめ止め固定することによって、雄ハトメ本体（Ａ）の前記フランジ先端部（１Ａ）と前記雌ハトメ受体（Ｂ）の長径外筒部（７）の外筒部先端部（７Ａ）で被取付物を挟持し、かつ、前記雄ハトメ本体（Ａ）の内筒外周壁（２Ａ）と雌ハトメ受体（Ｂ）の外筒内周壁（７Ｂ）で被取付物を挟持することから、雄ハトメ本体の長径内筒部と雌ハトメ受体の長径外筒部の間に深く被取付物が喰い込み、かつ、雄ハトメ本体のフランジ部の断面視が上向き膨出した長径環状のフランジ部のフランジ先端部と雌ハトメ受体の長径外筒部の外筒先端部が毛足の長いカーマットのごとき被取付物を強固に挟み込むように挟持し、かつ、雄ハトメ本体の深い長径内筒部の外周壁と雌ハトメ受体の深い長径外筒部の外筒内周壁部分でマットを強く挟んで前記かしめ脚と段周部でハトメを強固に取付けることが出来る。
【００１３】
また車体の床面に取り付けた嵌合体と雌雄小判ハトメを取り付けたカーマットなどの被取付物を一体とするために、雄ハトメ本体の長径外筒部の内側の長径孔の長径周底に嵌合体の摘みを嵌めて嵌合体突出部の摘みを矢印の方向に回転させて長径孔の短径部に摘みは段周部に差し渡し係止させ、摘みを長径孔の長さ方向に合わせて嵌合体から、摘みを外すことが出来るので、摘みは、長径外筒部の内側空間が広く摘みは回転操作がしやすく、摘みが雄ハトメ本体の長径外筒部の上面からはみ出さずカーマットの上からの感触について邪魔にならない。
【００１４】
本発明の取付方法によれば、雄ハトメ本体の中央に形成した長円筒形突起を布地などの孔の開いた毛足の長い被取付物に挿通し、裏面側から長円筒形突起に長円形リング状の座板を嵌め付け、裏面側より長円筒形突起の先端をカシメ加工することによって前記被取付物を狭持した状態に固定する小判ハトメの取付方法において、雄ハトメ本体（Ａ）は、長径環状のフランジ部（１）を設け、前記長径環状のフランジ部（１）の内側には長径内筒部（２）を、その内側に長径周底（３）を設け、該長径周底（３）の先端を縮径して中央に長径孔（４）を有するかしめ脚（５）を形成し、雌ハトメ受体（Ｂ）は、長径外筒部（７）を設け、その内側に長径周底部（８）を形成し、該長径周底部（８）の内側先端には上方に向けて長径の段周部（９）を設け、その中央に前記かしめ脚の嵌る長径孔部（１０）を形成し、雌ハトメ受体（Ｂ）の長径外筒部の外径が、雄ハトメ本体（Ａ）の長径環状のフランジ部の外径より大径に形成し、前記段周部（９）に雄ハトメ本体（Ａ）の前記かしめ脚（５）をかしめ止め固定することによって、雄ハトメ本体（Ａ）の前記フランジ先端部（１Ａ）と前記雌ハトメ受体（Ｂ）の長径外筒部（７）の外筒部先端部（７Ａ）で被取付物を挟持し、かつ、前記雄ハトメ本体（Ａ）の内筒外周壁（２Ａ）と雌ハトメ受体（Ｂ）の外筒内周壁（７Ｂ）で被取付物を挟持して当該小判ハトメを取り付け、車体の床面に取り付けた嵌合体と雌雄ハトメを取り付けたカーマットを一体とするために、雄ハトメ本体の長径内筒部の内側の長径孔の長径底周部に嵌合体の摘みを嵌合体の長さ方向に嵌合体の突出部を揃えて長径孔に嵌め、雄ハトメ本体の長径孔の短径部に摘みを移動させて段周部（９）に摘みを差し渡し係止させ、摘みを長径孔に合わせて摘みを嵌合体の長さ方向に移動させて摘みを外すことを可能とする小判ハトメ取付方法としたから、雄ハトメ本体の長径内筒部と雌ハトメ受体の長径外筒部の間に深く被取付物が喰い込み、かつ、雄ハトメ本体のフランジ部の断面視が上向き膨出した長径環状のフランジ部のフランジ先端部と雌ハトメ受体の長径外筒部の外筒先端部が毛足の長いカーマットのごとき被取付物を強固に挟み込むように挟持し、かつ、雄ハトメ本体の深い長径内筒部の外周壁と雌ハトメ受体の深い長径外筒部の外筒内周壁部分でマットを強く挟んで前記かしめ脚と段周部でハトメを強固に取付けることが出来る。また、雄ハトメ本体と雌ハトメ受体を被取付物に予め一体に組付けておくことにより、通常のハトメ金具と同様な取付手順により被取付物に取付できるため、通常のハトメ取付治具を用いて製作できる。
【図面の簡単な説明】
【００１５】
【図１】(イ)は本発明に係る雄ハトメ本体の正面図、同（ロ）は雄ハトメ本体の平面図、同（ハ）は雄ハトメ本体（ロ）のＡ−Ａ線における断面図である。
【図２】(ニ)本発明に係る雌ハトメ受体の平面図、（ホ）雌ハトメ受体の正面図、同（ヘ）雌ハトメ受体、（ニ）Ｂ−Ｂ線における断面図である。
【図３】（ト）本発明の雄ハトメ本体と雌ハトメ受体を被取付物に取付ける状態を説明する断面説明図、（チ）本発明に係る雄ハトメ本体と雌ハトメ受体のかしめ止め状態の断面説明図である。
【図４】（リ）雄ハトメ本体と雌ハトメ受体を被取付物にかしめ止めして車体の床板に取り付けて摘みつき嵌合体を嵌めた状態の断面説明図、（ヌ）摘み付き嵌合体の平面図、（ル）摘み付き嵌合体の底面図である。
【図５】本発明の雄ハトメ本体と雌ハトメ受体を他の摘み付き嵌合体に取付けた状態を示す一部断面説明図である。
【発明を実施するための最良の形態】
【００１６】
本発明の雄ハトメ本体は、長径環状のフランジ部は上向きに膨出させて、それに続く内側に長径内筒部を深く絞り長径周底を設け、該長径周底の先端を縮径して中央に長径孔を有するかしめ脚を形成し、
これと嵌合する雌ハトメ受体は長径外筒部を深く絞りその先に長径周底部を形成し、該長径周底部の内側先端には内側に向けて段周部を設け、その中央に前記かしめ脚の嵌る長径孔部を形成し、且つ、雌ハトメ受体の長径外筒部の外径が、雄ハトメ本体の長径環状のフランジ部の外径より大径に形成したことにより毛足の長いかなりの厚みのあるカーマットなどの被取付物に小判ハトメを強固に取り付けることが出来る小判ハトメとその取付方法を実現した。
【実施例】
【００１７】
雄ハトメ本体Ａおよび雌ハトメ受体Ｂからなる小判ハトメは、真鍮などの金属薄板をプレス成形したもので、雄ハトメ本体Ａおよび雌ハトメ受体の２部品から構成されている。
雄ハトメ本体Ａは、長径環状のフランジ部１は断面視上向きに膨出部させてその内側に長径内筒部２を長さ約６ｍｍ程度に深く絞りその先に長径周底３を設け、該長径周底３の先端を縮径して中央に長径孔４を有する長さ約４ｍｍ程度かしめ脚５を形成し、
前記かしめ脚５が嵌合する雌ハトメ受体Ｂは長径外筒部７を約６ｍｍ程度に深く絞り、その先に長径周底部８を形成し、該長径周底部８の内側先端には上方に向けて約２ｍｍ程度の段周９を設け、前記かしめ脚５の嵌る長径孔部１０の長径が２０ｍｍ、短径が１６ｍｍ程度に形成し、且つ、雌ハトメ受体Ｂの長径外筒部７の外径が、雄ハトメ本体Ａの長径環状のフランジ部１の長径外径より大径に形成した構成である。
【００１８】
雄ハトメ本体Ａの長径孔４と、雌ハトメ受体Ｂの長径孔部１０は、ともに略小判形孔、長円形長孔もしくは長円形角孔としたものである。
【００１９】
本実施例に係る小判ハトメは、雄ハトメ本体の長径環状のフランジ部１は上向きに膨出状に突出しているとともにフランジ部１の先端を下向きに曲げられている。
【００２０】
また前記小判ハトメは、雄ハトメ本体の長径内筒部２のかしめ脚５を、被取付物をはさんで雌ハトメ受体の長径孔部にはめて、該長径孔部の段周部で前記かしめ脚の先端を外側にカールさせて長径孔の段周部にかしめ脚をカールした部分が収まるようにかしめ止め固定されている。
【００２１】
そして、本実施例に係る小判ハトメ取付方法は、車体の床面に取り付けた嵌合体と雌雄ハトメを取り付けたカーマットを一体とするために、雄ハトメ本体の長径内筒部の内側の長径孔の長径底周部に嵌合体の摘みを嵌合体の長さ方向に嵌合体の突出部を揃えて長径孔に嵌め、雄ハトメ本体の長径孔の短径部に摘みを移動させて段周部に摘みを差し渡し係止させ、摘みを長径孔に合わせて摘みを嵌合体の長さ方向に移動させて摘みを外すことが出来るものである。
【００２２】
以上において、雄ハトメ本体Ａと雌ハトメ受体Ｂは個別にプレス機で成形した後、通常のハトメ金具と同様な取付手順により被取付物に取り付けて予め一体に組合わされる。
【００２３】
すなわち、各別に成形後に図３（ト）に示すように、雄ハトメ本体Ａの長径内筒部２のかしめ脚５に、予め孔を開けたカーマットなどの被取付物を嵌めておき、かしめ脚５を雌ハトメ受体Ｂの長径孔部１０に嵌めて、かしめ脚取り付け用の冶具を当ててカシメ脚を段周部９の外側にカールさせて段周部９にカシメ付け固定することにより、図３（チ）に示すごとく、雄ハトメ本体Ａの長径内筒部２と雌ハトメ受体Ｂの長径外筒部７の間隙に被取付物１１を喰い込ませ、かつ、雄ハトメ本体Ａの長径環状のフランジ部１の断面視上向き膨出したフランジ先端部１Ａと雌ハトメ受体Ｂの長径外筒部７の外筒先端部７Ａが毛足の長いカーマット挟み込むように挟持し、かつ、深い長径内筒部２の内筒外周壁２Ａと深い長径外筒部７の外筒内周壁部分７Ｂでマットを強く挟んで強固に固定して取付けることができ、カーマットのごとき被取付物１１の表裏をハトメで狭持した状態に雌雄ハトメを一体化して、互いに内側に向き合わされ両者間の長径孔が連通する。
【００２４】
本発明は雄ハトメ本体Ａの長径内筒部２とこれと嵌合する雌ハトメ受体Ｂの長径外筒部７をともに深く絞って形成し、且つ雌ハトメ受体Ｂの長径外筒部７の外径が雄ハトメ本体Ａの長径環状のフランジ部１の外径より大きく形成し、ともに中央に長径孔を形成し、雄ハトメ本体Ａの長径内筒部２のかしめ脚５が、被取付物１１をはさんで雌ハトメ受体Ｂの長径孔部１０に嵌り、該長径孔部１０の段周部９で前記かしめ脚５の先端を外側にカールさせてかしめることにより、毛足の長い厚みのあるカーマットなどの被取付物１１は長径内筒部２が前記長径外筒部７の外径よりも大きくかつ深くして設定されているため、長径内筒部２と長径外筒部７の間隙にカーマットなどの被取付物が深く喰い込み、かつ、雄ハトメ本体Ａの長径環状フランジ部１が上向きに膨出させてそのフランジ先端部１Ａと雌ハトメ受体Ｂの長径外筒部７の外筒先端部７Ａが毛足の長いカーマットなどの被取付物を深く食い込む様に挟持し強固に固定するものである。
【００２５】
一方、また車体の床面に取り付けた嵌合体１２と雌雄ハトメを取り付けたカーマット１１を一体とするために、雄ハトメ本体Ａの長径内筒部２の内側の長径孔４の長径底周部３に嵌合体１２の摘み１５を嵌合体１２の長さ方向に揃えて長径孔４に嵌め（図４（ヌ）の点線摘み位置参照）、次に、雄ハトメ本体Ａの長径孔４の短径部に摘み１５を移動させて段周部９に摘み１５を差し渡し係止する。
【００２６】
嵌合体１２の突出部１３を長径孔４に合わせて摘み１５を嵌合体１２の長さ方向に移動させて摘み１５を外すことが出来るので、摘み１５は、長径内筒部２の長径周底部８の内側空間が広くなっていて摘みはつかみやすく、摘み１５が雄ハトメ本体Ａの長径内筒部２の上面からはみ出さず邪魔にならない。
【００２７】
尚、本実施例に係る雌雄ハトメを他の嵌合体１２（摘み付き嵌合体）に取付けた状態を図５に示す。
【００２８】
被取付物としては、バッグ、鞄、ベルト、靴などの各種革製品や、厚手の毛皮製品などが掲げられ、これら製品の取り付け位置に小判ハトメ金具を固定しておくことにより、挿通位置の補強と表面の見栄えの向上を図ることができるものとなる。
【符号の説明】
【００２９】
Ａ    雄ハトメ本体
Ｂ    雌ハトメ受体
１    長径環状のフランジ部
１Ａ  フランジ先端部
２    長径内筒部
２Ａ  内筒外周壁
３    長径周底
４    長径孔
Ｌ１  長径孔の短径部
Ｌ２  長径孔の長径部
５    かしめ脚
６    かしめ先端部
７    長径外筒部
７Ａ  外筒部先端部
７Ｂ  外筒内周壁
８    長径周底部
９    段周部
１０  長径孔部
１１  被取付物
１２  嵌合体
１３  突出部
１４  基板
１５  摘み
１６  嵌合体の取付部
１７  床板
１８  軸体
【図１】
0005667598.tif 000002
【図２】
0005667598.tif 000003
【図３】
0005667598.tif 000004
【図４】
0005667598.tif 000005
【図５】
0005667598.tif 000006